(57)【要約】【課題】ランナーに接続したパーツの配置から、完成品に関連する特定の観念を文字として視覚的に認識可能とする組み立て式玩具を提供する。【解決手段】複数の文字パーツが保持パーツに接続された組み立て式玩具であって、前記複数の文字パーツのそれぞれは、前記保持パーツに接続された状態において、前記組み立て式玩具の外観から認識可能な文字の少なくとも一部を構成し、前記複数の文字パーツのそれぞれは、前記保持パーツから取り外されて組み立てられた場合に、前記文字が表現する観念と関連する外観を有する模型を形成する。【選択図】図１
2019202075.tif 000002
【特許請求の範囲】
【請求項１】
複数の文字パーツが保持パーツに接続された組み立て式玩具であって、
前記複数の文字パーツのそれぞれは、前記保持パーツに接続された状態において、前記組み立て式玩具の外観から認識可能な文字の少なくとも一部を構成し、
前記複数の文字パーツのそれぞれは、前記保持パーツから取り外されて組み立てられた場合に、前記文字が表現する観念と関連する外観を有する模型を形成する、
組み立て式玩具。
【請求項２】
前記複数の文字パーツは前記文字を構成する配置において、前記保持パーツに接続されている請求項１に記載の組み立て式玩具。
【請求項３】
前記組み立て式玩具は、第一の面における外観において前記観念を表現する文字を認識可能であり、前記第一の面とは反対側の第二の面における外観において前記観念を表現する文字の認識が不可能に構成されている請求項１または２に記載の組み立て式玩具。
【請求項４】
前記複数の文字パーツのうち、少なくとも１つの文字パーツは、前記模型の外観の輪郭及び前記文字の輪郭を構成する第1の部分と前記文字の輪郭のみを構成する第2の部分とを含む請求項１から３のいずれか1項に記載の組み立て式玩具。
【請求項５】
前記文字は、漢字、平仮名、片仮名、アルファベット、外国語文字、及び、数字のうちのいずれかである請求項１から４のいずれか1項に記載の組み立て式玩具。
【請求項６】
前記文字が少なくとも二文字で構成される場合、該少なくとも二文字を構成する前記複数の文字パーツは前記保持パーツに接続された状態において、前記文字のそれぞれの縦横の大きさが互いに対応するように配置される請求項５に記載の組み立て式玩具。
【請求項７】
前記文字が少なくとも二文字で構成される場合、該少なくとも二文字を構成する前記複数の文字パーツは前記保持パーツに接続された状態において、前記文字のそれぞれの縦横の大きさが互いに異なるように配置される請求項５に記載の組み立て式玩具。
【請求項８】
前記文字が漢字である場合に、前記複数の文字パーツは、単独で前記漢字、または、前記漢字の部首を構成する第1の文字パーツを含む請求項５から７のいずれか1項に記載の組み立て式玩具。
【請求項９】
前記観念は、地名、または、前記模型に対応する物または人の名称を表す請求項１から８のいずれか1項に記載の組み立て式玩具。
【請求項１０】
前記保持パーツは、前記組み立て式玩具の外枠を構成する外部パーツと、前記外枠内に位置する内部パーツとを含み、
前記複数の文字パーツのそれぞれは、
前記外部パーツのみにより保持される第1の文字パーツと、
前記内部パーツのみにより保持される第2の文字パーツと、
前記外部パーツ及び内部パーツにより保持される第3の文字パーツと
のいずれかである請求項１から９のいずれか1項に記載の組み立て式玩具。
【請求項１１】
前記外部パーツは、長辺部と短辺部とを有し、
前記複数の文字パーツは、前記文字が前記長辺部に沿って配置されるように、前記保持パーツと接続される請求項１０に記載の組み立て式玩具。
【請求項１２】
前記模型は、自立可能に構成される請求項１から１１のいずれか1項に記載の組み立て式玩具。
【請求項１３】
前記保持パーツは、前記組み立て式玩具を掛止可能にするための掛止部材を含む請求項１から１２のいずれか1項に記載の組み立て式玩具。
【請求項１４】
複数の文字パーツが保持パーツに接続された組み立て式玩具の成形物を製造する製造方法であって、前記複数の文字パーツのそれぞれは、前記保持パーツに接続された状態において前記組み立て式玩具の外観から認識可能な文字の少なくとも一部を構成し、かつ、前記保持パーツから取り外されて組み立てられた場合に前記文字が表現する観念と関連する外観を有し、
前記製造方法は、
成形型に成形材料を注入して、前記複数の文字パーツのすべてを含む１つの成形物を成形する工程と、
前記成形型から前記成形物を取り出す工程と
を含む製造方法。
【発明の詳細な説明】
【技術分野】
【０００１】
本発明は、組み立て式玩具、及び、組み立て式玩具の成形物の製造方法に関する。
【背景技術】
【０００２】
一般に樹脂を用いて成形されたプラモデル（登録商標）のような成形物は、組み立ての対象となる複数のパーツがランナーに接続されて構成されている（特許文献１を参照）。そして、組み立ての容易のため、組み立ての時に一緒に用いられるパーツをできるだけ纏めてランナーに接続することが一般的である。例えば、完成品の脚を構成するパーツであれば、まとまった配置においてランナーと接続することにより、組み立て作業時にそれらを取得することが容易になるようにしている。
【先行技術文献】
【特許文献】
【０００３】
【特許文献１】特開２００６−１４２５７８号公報
【発明の概要】
【発明が解決しようとする課題】
【０００４】
上記のようにパーツをランナーに接続する場合、組み立て作業における利便性を考慮して、作業時に互いに関連性を有することになるパーツをまとめて配置するようにランナーと接続することはあるものの、完成品が示す観念をパーツの配置により視覚的に文字として認識可能とするように配置することは行われていない。
【０００５】
そこで、本発明は、ランナーに接続したパーツの配置から、完成品に関連する特定の観念を文字として視覚的に認識可能とする組み立て式玩具、及び、その製造方法を提供する。
【課題を解決するための手段】
【０００６】
上記課題を解決するための一つの実施形態に対応する発明は、複数の文字パーツが保持パーツに接続された組み立て式玩具であって、
前記複数の文字パーツのそれぞれは、前記保持パーツに接続された状態において、前記組み立て式玩具の外観から認識可能な文字の少なくとも一部を構成し、
前記複数の文字パーツのそれぞれは、前記保持パーツから取り外されて組み立てられた場合に、前記文字が表現する観念と関連する外観を有する模型を形成する。
【０００７】
上記課題を解決するための他の実施形態に対応する発明は、複数の文字パーツが保持パーツに接続された組み立て式玩具の成形物を製造する製造方法であって、
前記複数の文字パーツのそれぞれは、前記保持パーツに接続された状態において前記組み立て式玩具の外観から認識可能な文字の少なくとも一部を構成し、かつ、前記保持パーツから取り外されて組み立てられた場合に前記文字が表現する観念と関連する外観を有し、
前記製造方法は、
成形型に成形材料を注入して、前記複数の文字パーツのすべてを含む１つの成形物を成形する工程と、
前記成形型から前記成形物を取り出す工程と
を含む。
【発明の効果】
【０００８】
本発明によれば、ランナーに接続したパーツの配置から、完成品に関連する特定の観念を文字として視覚的に認識可能とする組み立て式玩具、及び、その製造方法を提供することができる。
【図面の簡単な説明】
【０００９】
【図１】発明の実施形態に対応する組み立て式玩具の外観の一例を示す図。
【図２】発明の実施形態に対応する組み立て式玩具を組み立てて得られた完成品の模型の外観の一例を示す図。
【図３】発明の実施形態に対応する文字パーツの構造の一例を説明するための図。
【発明を実施するための形態】
【００１０】
以下、発明の例示的な実施形態について図面を参照して説明する。なお、各図において、同じ参照符号は、同じ要素を示している。また、各図において、紙面に対する上下左右方向を、本実施形態における部品（またはパーツ）の上下左右方向として、本文中の説明の際に用いることとする。なお本発明は、以下に説明する実施形態おいて成形材料としてポリスチレンを例示するがこれに限定されず、他の材質（ポリエチレン、ＡＢＳ等の熱可塑性樹脂、熱硬化性樹脂、金属等を含む任意の材質）の利用を排除するものではない。
【００１１】
図１は、発明の実施形態に対応する組み立て式玩具の構造の一例を説明するための図である。本実施形態においては、組み立て式玩具を、１つの完成品を組み立てるための複数の文字パーツ（部品）が保持パーツ（外部パーツとしての主ランナー１０、及び、内部パーツとしての副ランナー１１）に取り付けられたパーツ供給品として提供することができる。図１では、組み立て式玩具１００の表面において東京という漢字二文字を表現している。本実施形態に対応する組み立て式玩具１００は、その表面において所定の観念を表現する文字を外観から視覚的に認識可能に構成される一方、反対側の裏面においては文字が裏返しになるため同一の文字を視覚的に認識することができない。但し、左右対称の文字については例外である。
【００１２】
図１において、組み立て式玩具１００の「東」の文字は、８つの文字パーツで構成され、「京」の文字は７つの文字パーツで構成されている。文字パーツのそれぞれは、「東」及び「京」の文字の縦横の大きさが互いに対応するように配置される。具体的に、「東」の文字の高さＨ１、幅Ｗ１とし、「京」の文字の高さＨ２、幅Ｗ２、とすると、Ｈ１≒Ｈ２、Ｗ１≒Ｗ２とすることができる。また、Ｈ１≒Ｈ２≒Ｗ１≒Ｗ２としてもよい。但し、縦横の大きさを互いに対応させるのは、一つの実施形態にすぎず、縦横の大きさを互いに異ならせてもよい。例えば、二文字を縦に配置する場合に、上側に位置する文字を小さく、下側に位置する文字を大きくしてもよい。その際、上側から下側にかけて幅が拡大していくようにしてもよい。逆に、下側から上側に掛けて幅が拡大していくようにしてもよい。
【００１３】
これらの文字パーツを組み合わせると図２に示すような東京タワーの模型２００が完成する。当該模型２００は自立可能に構成することができる。図２（Ａ）は、完成品の模型２００を正面方向から見た様子を示し、図２（Ｂ）は、完成品の模型２００を側面方向から見た様子を示している。
【００１４】
本実施形態に対応する組み立て式玩具１００は、完成品の模型２００を構成する複数のパーツのすべてを包含することができる。例えば、図１に示す例では、完成品の模型２００を構成する各パーツは、「東京」という文字を表現する組み立て式玩具１００内にすべて収まっている。但し、図１の例では外枠を構成する主ランナー１０の内側にすべての文字パーツが収まっているが、主ランナー１０の一部に文字パーツを配置してもよい。本実施形態における各文字パーツは、主ランナー１０のみに接続されるか、文字パーツ１０１や１０２のように主ランナー１０と副ランナー１１との両方に接続されるか、あるいは、文字パーツ１０３のように副ランナー１１とのみ接続される場合がある。
【００１５】
また、本実施形態において主ランナー１０は、長辺部と短辺部とで構成される。図１に示す例では、長辺部が縦長の構成となっているが、横長の構成であってもよい。いずれの場合でも、長辺部に沿って文字が配置される。図１に示す例では、「東京」という文字の「東」と「京」が縦に並ぶように配置されているが、長辺部が横長の構成において横に並ぶように配置されてもよい。
【００１６】
また、図１に示すように、主ランナー１０の上端部に組み立て式玩具１００を壁などに貼り付けて飾ることを可能とするための掛止部材１２を設けてもよい。掛止部材１２を使うことにより、例えばピンやフックなどにより組み立て式玩具１００を所定の面に対して掛止可能となる。また、販売時に販売用のフックに引っ掛けておくために掛止部材１２を利用してもよい。図１では、掛止部材１２を半円状としたが、これ以外の形状、例えばリング形状や矩形形状としてもよい。また、上端部以外の端部に掛止部材１２を設けてもよい。例えば下端部に追加的に設けたり、側面にも設けたりしてもよい。よって、掛止部材１２を設ける場合に、その個数は特に限定されない。また、取り付ける位置も主ランナー１０の外側だけでなく、内側としてもよい。
【００１７】
本実施形態では、各文字パーツは完成品の模型における外形（あるいは、模型の輪郭）を構成するのに加えて、ランナーに接続された状態において他の文字パーツとの組み合わせにおいて特定の文字を視覚的に認識可能とする。したがって、文字パーツの輪郭は、完成品の輪郭を構成するだけでなく、特定の文字の輪郭をも構成することとなる。ただし、文字パーツの輪郭には、完成品の輪郭は構成せず、特定の文字の輪郭だけを構成するものも含まれる。
【００１８】
例えば、組み立て式玩具１００に含まれる文字パーツ１０１、１０２及び１０３は、それぞれ図２（Ａ）で完成品の模型２００の外形輪郭を構成している。そして、文字パーツ１０１及び１０２は、図１に示すように組み立て式玩具１００を正面から見たときに漢字「東」の一部の輪郭を構成している。文字パーツ１０１及び１０２は、図２（Ａ）において模型の外形を構成する部分が、図１に示す組み立て式玩具１００を正面から見た外観においては「東」という漢字の輪郭を形成している。
【００１９】
しかし、文字パーツ１０３は、図１の組み立て式玩具１００を正面から見たときにそれ全体で東の漢字の一部の輪郭を構成しているものの、図２（Ａ）において完成品の模型２００の外形輪郭を構成しているのは文字パーツ１０３の全体ではなく一部だけである。
【００２０】
この点について具体的に図３を参照して説明する。図３は、文字パーツ１０３を拡大して示す図である。文字パーツ１０３は、完成品の模型２００の外形輪郭及び漢字「東」の輪郭の両方を構成する部分１０３Ｈ１と、完成品の模型２００の外形輪郭は構成しないが、漢字「東」の輪郭は構成する部分１０３Ｈ２とを含む。部分１０３Ｈ１の輪郭１０３Ｃ１は、図２（Ａ）及び（Ｂ）における完成品の模型２００の文字パーツ１０３の外形輪郭１０３Ｃ１を形成している。しかし、部分１０３Ｈ２の輪郭１０３Ｃ２は、模型２００の外面には面しておらず、模型２００の外観からその輪郭を認識することができない。但し、当該輪郭１０３Ｃ２は模型２００の組み立ての際に、他の文字パートとの結合に利用することができる。図２の例では、上側に位置する文字パーツ１０１との結合に用いることができる。このように、本実施形態において、組み立て部品を構成する文字パーツは、２種類の輪郭を含みうる。
【００２１】
また、本実施形態において、文字パーツにより漢字の輪郭を示す場合に、文字パーツの組み合わせにより、表現しようとする漢字の部首等を表すことができる。図１に示すように、「京」の字のウ冠（うかんむり）は３つの文字パーツにより表現されている。これとは別に１つの文字パーツにより部首を表現してもよい。例えばこざと偏を一つの文字パーツにより表現してもよい。図３（Ｂ）はそのような一例を示す。図３（Ｂ）は、大阪の「阪」の字を２つの文字パーツにより表現した例を示している。ここで、文字パーツ３０１は単独でこざと偏を示しており、文字パーツ３０２は単独で右側の「反」という文字を形成している。ここでも斜線で示す部分は主に文字の輪郭を構成する目的で形成され、完成品の模型の外観には直接の影響を与えない部分であってもよい。あるいは、部品の結合に利用されてもよい。
なお、文字パーツにより表現される漢字は、部首を有しない漢字であってもよい。例えば、「日本一」という文字を表現する場合、これらの３文字は部首を有していないが、本発明を適用することが可能である。また、個々の文字パーツは、漢字の一部の輪郭を構成するだけでなく、全部の輪郭を構成してもよい。上記「日本一」の例では、「一」の漢字を単一の文字パーツにより表現することができる。その一方で「一」を複数の文字パーツにより構成してもよい。
【００２２】
上記で図１から図３を参照して示した例では、東京タワーの模型の完成品を構成する複数の文字パーツからなる組み立て部品は、東京タワーが実際に立地する地名である「東京」という観念を示す漢字二文字を表現していた。この例は、完成品の模型から想起される地名を、組み立て部品の外観により表現した場合に相当するが、発明の実施形態はこれに限定されるものではない。具体的には、完成品の名称そのものに対応する称呼を表す漢字を組み立て部品の外観により表現することもできる。例えば、雷門の完成品を構成する複数の文字パーツからなる組み立て部品により、「雷門」という漢字の組み合わせを表現することができる。あるいは、富士山の完成品を構成する複数の文字パーツからなる組み立て部品により、「富士山」という漢字の組み合わせを表現することができる。
【００２３】
さらには、人、物、動物、植物、昆虫、星、国、場所、地域、動産、不動産等を表す名称の他、特定の概念を表現する任意の文字の組み合わせを含むことができる。また、組み立て部品において表現する文字数は漢字二文字に限定されることはなく、一文字以上であれば、文字数に制限はない。また、漢字の当て嵌めについても、当て字であってもよい。また、使用する文字は漢字に限定されるものではなく、平仮名、アルファベット、外国語文字（簡体字、ハングル、アラビア文字、キリル文字、インド系文字、エジプト文字等）、数字等の任意の文字を含むことができる。あるいは、ピクトグラム（絵文字）であってもよい。
【００２４】
また、名称を表現する場合に、完成品の名称の全部を含める必要はなく、一部のみを含んでいてもよい。例えば、大阪城の完成品について「大阪」という漢字二文字で表現してもよい。これは地名を表すと解釈することもできるが、名称の一部と解釈してもよい。
【００２５】
次に、発明の実施形態に対応する模型部品の製造方法は、一般的な模型部品の製造方法と同様とすることができる。概略的に説明すると、所定の成形装置は、成形材料を射出する射出装置の移動側に取り付けられる移動金型本体と、射出装置の固定側に取り付けられる固定金型本体とを有するように構成される。移動金型本体と固定金型本体とからなる成形型にはそれぞれ成形材料が流入あるいは注入される溝が形成されている。当該溝には、主ランナーや副ランナーを形成するためのランナー溝と、各文字パーツを形成するための成形空間（キャビティ）とが含まれる。これらの溝に成形材料を注入させて成形物を形成した後、移動金型本体を固定金型本体から離し、移動金型本体を構成する雄型に付着した成形物を押し出し、成形物を取り出す。これにより、例えば「東京」という文字をその配置により表現し、かつ、組み立てにより東京タワーの模型を構成することを可能とする複数の文字パーツのすべてを含む組み立て式玩具を、一つの成形物として形成することができる。
【００２６】
以上のように、本実施形態によれば、完成品を組み立てるための複数の文字パーツが保持パーツに取り付けられ状態において、完成品から想起される所定の概念を表現する文字を外観から視認可能とするように文字パーツを配置したパーツ供給品としての組み立て式玩具を提供することができる。
【００２７】
このような組み立て玩具は、組み立てる楽しみだけでなく、パーツ供給品の段階においてもその外観から利用者に興趣性を感じさせることが可能であるので、利用者は組み立てた後の完成品を鑑賞するだけでなく、組み立て前のパーツ供給品の状態でも鑑賞が可能となる。また、本組み立て式玩具は、完成品を飾ることはもちろんのこと、壁面などに取り付けられるように掛止部材を有しているので、組み立て前の状態でも飾って鑑賞することができる。
【図１】
2019202075.tif 000003
【図２】
2019202075.tif 000004
【図３】
2019202075.tif 000005